(57)【特許請求の範囲】
【請求項１】
少なくとも１つの蓄積コンデンサを有する電源と、
出力トランス（ＴＲ）を含む少なくとも１つのエネルギー蓄積器を有し、ＲＦ手術器具に送ることのできるＲＦ出力信号（Ｕａ）を生成する制御可能なスイッチングデバイスと、
を含み、
回生デバイス（Ｄ１、Ｄ２、Ｄ３、Ｔ１、ＤＨ、ＬＨ、Ｗ２）が前記エネルギー蓄積器（ＴＲ）と前記蓄積コンデンサ（Ｃ）との間に接続されており、
前記エネルギー蓄積器（ＴＲ）から残留エネルギーを排出する放電デバイス（Ｒ、Ｔ３）が設けられており、
前記スイッチングデバイス（Ｔ２）を制御する制御手段（２０）が設けられており、
前記回生デバイス（Ｄ１、Ｄ２、Ｄ３、Ｔ１、ＤＨ、ＬＨ、Ｗ２）は、前記ＲＦ出力信号（Ｕａ）を終わらせる場合、前記制御手段（２０）が、前記スイッチングデバイス（Ｔ２）及び前記回生デバイス（Ｄ１、Ｄ２、Ｄ３、Ｔ１、ＤＨ、ＬＨ、Ｗ２）を、
前記回生デバイス（Ｄ１、Ｄ２、Ｄ３、Ｔ１、ＤＨ、ＬＨ、Ｗ２）が少なくとも一部の時間の間通電され、前記エネルギー蓄積器（ＴＲ）が前記蓄積コンデンサ（Ｃ）において少なくとも部分的に放電し、
前記エネルギー蓄積器（ＴＲ）の部分的な放電の後に、前記放電デバイス（Ｒ、Ｔ３）が、前記エネルギー蓄積器（ＴＲ）から残留エネルギーを排出する、
ように制御し、
前記電源は、２つの端子から直流電圧を出力し、
前記蓄積コンデンサは、前記２つの端子間に接続されている
ＲＦ外科用ジェネレータ。
【請求項２】
前記放電デバイスが、残留エネルギーを熱エネルギーに変換するオーム負荷（Ｒ）を含むことを特徴とする、請求項１に記載のＲＦ外科用ジェネレータ。
【請求項３】
前記エネルギー蓄積器が出力トランス（ＴＲ）を含み、前記回生デバイスが前記出力トランス（ＴＲ）において第１の巻線（Ｗ１）と、前記第１の巻線（Ｗ１）とは別個に設けられた第２の巻線（Ｗ２）とを含むことを特徴とする、請求項１または請求項２に記載のＲＦ外科用ジェネレータ。
【請求項４】
前記回生デバイスが、前記制御手段（２０）によって制御される少なくとも１つの電子スイッチ（Ｔ１）を含むことを特徴とする、請求項１〜請求項３の何れか１項に記載のＲＦ外科用ジェネレータ。
【請求項５】
前記回生デバイスがダイオード経路（Ｄ２、Ｄ３）を含み、これを通して、前記エネルギー蓄積器（ＴＲ）が前記ＲＦ出力信号（Ｕａ）の終了時に放電されることを特徴とする、請求項１、請求項２、請求項４のうちの何れか１項に記載のＲＦ外科用ジェネレータ。
【請求項６】
蓄積コンデンサ（Ｃ）が前記スイッチングデバイスの出力トランス（ＴＲ）に直列に接続されていることを特徴とする、請求項１〜請求項５の何れか１項に記載のＲＦ外科用ジェネレータ。
【請求項７】
前記スイッチングデバイスのＤＣ／ＤＣ変換器の上流に蓄積コンデンサ（ＣＺ）が設けられていることを特徴とする、請求項１〜請求項５の何れか１項に記載のＲＦ外科用ジェネレータ。
【請求項８】
前記回生デバイスがＤＣ／ＤＣ変換器を含むことを特徴とする、請求項１〜請求項７の何れか１項に記載のＲＦ外科用ジェネレータ。
【請求項９】
前記回生デバイスが昇圧チョッパを含むことを特徴とする、請求項１〜請求項８の何れか１項に記載のＲＦ外科用ジェネレータ。
【請求項１０】
前記回生デバイスが降圧チョッパを含み、その入力電圧が電子スイッチ（Ｔ１）によって定電圧に調節されていることを特徴とする、請求項１〜請求項９の何れか１項に記載のＲＦ外科用ジェネレータ。
【請求項１１】
前記回生デバイスがパルス幅変調モードで作動することを特徴とする、請求項８又は請求項９に記載のＲＦ外科用ジェネレータ。
【請求項１２】
前記回生デバイスが電流調節モードで作動することを特徴とする、請求項８又は請求項９に記載のＲＦ外科用ジェネレータ。
【発明の詳細な説明】
【技術分野】
【０００１】
本発明は、特許請求項１のプリアンブルに従ったＲＦ外科用ジェネレータと、このようなジェネレータの駆動方法に関する。
【背景技術】
【０００２】
ＲＦ外科用ジェネレータが組織の切断及び凝固にますます使用されている。機械的な切開に比べて、切断エッジの止血はＲＦ外科的切開の利点の１つとみなされており、この止血は特に熱凝結によるものである。この場合、凝固ゾーンの深さは主に処置する組織の灌流に依存しており、これにより、ＲＦ外科用ジェネレータによって使用される凝固ゾーンの深さをできるだけ再生可能な態様で調節できることが要求される。このことに併せて、ＲＦ外科用ジェネレータのＲＦ出力信号の形状、特にピーク値対実効値の比が重要である。その結果、振幅を変えたＲＦ電圧（電流）が選択されており、変調は、ＲＦ外科用ジェネレータが単一サイクルと次に続く更に長い休止期間のみを生じることもできるように十分なものである。
【０００３】
他には、ＲＦ外科用ジェネレータができるだけ高効率であることが要求される。なぜなら、効率が低すぎると複雑な冷却手段によって熱損失を取り除かなくてはならないためであり、これは手術室では望ましくないことである。
【０００４】
特許文献１はＲＦ外科用ジェネレータを開示しており、これは、このようなＲＦ外科用ジェネレータに通常設けられるＤＣ電圧電源が２つの動作モードで作動できる、即ち、一方では電力発振器の電源として（従来の方法で）作動でき、他方では電力発振器の電源からＤＣ電圧電源の入力へのエネルギー移動が生じるモードで作動できる、という点で更に高い効率を達成する。この場合、短パルスの整形における大幅な改良は不可能である。
【０００５】
特許文献２は、ここに述べたタイプのＲＦ外科用ジェネレータを開示している。このジェネレータを考慮して、ＲＦ出力信号を終わらせる際にいわば消費物と並列に接続されたオーム抵抗が取り出される。このデバイスの効率は最小である。
【先行技術文献】
【特許文献】
【０００６】
【特許文献１】独国特許出願公開第１０２  １８  ８９５号明細書
【特許文献２】独国特許出願公開第１００  ４６  ５９２号明細書
【発明の概要】
【発明が解決しようとする課題】
【０００７】
本発明の目的は、優れた効率と、ＲＦ出力信号の正確かつ迅速な整形を達成できるような方法で、前述のタイプのＲＦ外科用ジェネレータとこのようなジェネレータの駆動方法を提供することである。
【課題を解決するための手段】
【０００８】
この目的は、請求項１に従ったＲＦ外科用ジェネレータ及び請求項１３に従ったこのようなジェネレータの駆動方法によって達成される。
【０００９】
詳細には、この目的はＲＦ外科用ジェネレータによって達成され、このＲＦ外科用ジェネレータは、少なくとも１つの蓄積コンデンサを有する電源と、例えば出力トランスのような少なくとも１つのエネルギー蓄積を有し、ＲＦ手術器具に送ることのできるＲＦ出力信号を生成する制御可能なスイッチングデバイスと、を含み、このジェネレータにおいて、再生デバイスがエネルギー蓄積と蓄積コンデンサとの間に接続されており、制御手段が設けられており、制御手段は、ＲＦ出力信号を終わらせる場合に再生デバイスが少なくとも一部の時間の間通電され、エネルギー蓄積が蓄積コンデンサにおいて少なくとも部分的に放電されるようにスイッチングデバイス及び再生デバイスを制御する。
【００１０】
従って、本発明の本質的な態様では、例えば通常設けられる出力トランスのような通常設けられるダミー要素に蓄積された電気の、即ち同様に磁気のエネルギーがこのエネルギー蓄積から取り出され、よってＲＦ出力信号が直ちにゼロにリセットされる。電源の蓄積コンデンサに送られるこのエネルギーは次に、後に続くＲＦ出力信号に利用可能である。これによって構成の効率が高まる。
【００１１】
エネルギー蓄積から余剰のエネルギーを排出する放電デバイスが設けられる度に、最小の回路を用いた信号制御性の改良が同時になされる。このことを達成するため、オーム負荷による熱エネルギーへの転換も使用して、発振器が確実に消えるのを保証することができる。それでもなお、効率は再生によって大幅に高められたままである。エネルギー蓄積の部分的な放電に続いて残留エネルギーが排出されるように、放電デバイスは制御手段によって制御されることが好ましい。
【００１２】
好適な実施の形態では、エネルギー蓄積は出力トランスを含み、再生デバイスは出力トランスに別個の巻線を含む。このようにして、所望の電圧条件を容易に調節することができる。
【００１３】
制御手段によって制御された電子スイッチを介して再生を行うことができる。あるいは、再生はダイオード線を介して可能であり、エネルギー蓄積はＲＦ出力信号の終了時にこれを介して放電される。
【００１４】
ＲＦ外科用ジェネレータの蓄積コンデンサは、制御素子の介在によって出力トランスの余剰エネルギーを吸収できるように配置されることが好ましい。
【００１５】
再生デバイスは、適切な電圧調節を実行できるようにするためにＤＣ／ＤＣ変換器を含む。この変換器を昇圧チョッパとして構成することができる。
【００１６】
他の実施の形態では、再生デバイスは、入力電圧が電子スイッチによって定電圧に調節される降圧チョッパを含む。回路のこの実施の形態はとりわけ単純である。
【００１７】
少なくとも１つの蓄積コンデンサを有する電源と、出力トランスを有し、ＲＦ手術器具に送ることのできるＲＦ出力信号を生成する制御可能なスイッチングデバイスとを含むＲＦ外科用ジェネレータの駆動方法は、ＲＦ出力信号をオフに切り替えるため、出力トランスに蓄積されたエネルギーが蓄積コンデンサに送られ、蓄積コンデンサに蓄積されることを特徴とする。この方法の利点は前述した通りである。これは、前述の回路の特徴を考慮して明白なこの方法の対応する展開物にも同様にあてはまる。
【００１８】
以下、図面を参照しながら本発明の例示的な実施の形態を更に詳しく説明する。
【図面の簡単な説明】
【００１９】
【図１】本発明の第１の実施の形態の回路図である。
【図２】本発明の第２の実施の形態の回路図である。
【図３】本発明の第３の実施の形態の回路図である。
【図４】本発明の第４の実施の形態の回路図である。
【図５】信号処理の時間依存図である。
【図６】本発明の第５の実施の形態の回路図である。
【発明を実施するための形態】
【００２０】
以下の説明において、同一か又は同一の機能を有する構成要素には同一の参照符号を使用する。
【００２１】
図１は電源１０を含む回路を示しており、ここでは出力に位置するコンデンサＣによってＤＣ／ＤＣ変換器のみが明らかにされている。もちろん、ＡＣ電源からＤＣ／ＤＣ変換器に電力を供給するために追加の変換デバイスが設けられている。
【００２２】
ジェネレータは、発振回路ＣＲ及び出力トランスＴＲの（第１の）巻線Ｗ１を含み、トランジスタＴ２を介してコンデンサＣに接続されている。トランジスタＴ２の制御入力ｂは制御手段２０に接続されており、制御手段２０は従ってトランジスタＴ２の適切な作動により発振回路ＣＲ−Ｗ１において振動を生じることができ、第２の巻線ＷＡ及び直列の発振回路ＬＡ、ＣＡを介してこの振動を（図示しない）ＲＦ手術器具に出力電圧Ｕａとして送ることができる。
【００２３】
トランスＴＲの追加の巻線Ｗ２もコンデンサＣに接続されている、即ち、一方ではダイオードＤ１及びトランジスタＴ１を介し、他方では直通のラインを介して接続されている。トランジスタＴ１の制御入力ａは制御手段２０に接続されている。抵抗器Ｒ及びトランジスタＴ３を含む直列の回路が追加の巻線Ｗ２と並列に設けられており、トランジスタＴ３の制御入力ｃも制御手段２０に接続されている。
【００２４】
以下、図５を参照しながら、図１による回路の機能を説明する。
【００２５】
制御手段２０は起動パルスｎ及びｎ＋１を生成し、これらはトランジスタＴ２の制御入力ｂに送られる。トランジスタＴ２を作動させることによって発振回路ＣＲ、Ｗ１に磁場が発生し、出力電圧Ｕａが生じる。
【００２６】
発振回路ＣＲ、Ｗ１の振動を終わらせるために、制御手段２０は、トランジスタＴ１を介して起動する信号ａを生じる。この結果、追加の巻線Ｗ２のみがダイオードＤ１及びトランジスタＴ１を介してコンデンサＣに接続され、これにより電流Ｉ１が流れ、この電流はトランスＴＲに蓄積されたエネルギーをコンデンサＣに移動させる。
【００２７】
比較的短い制御パルスａ（図５参照）に次いで、トランジスタＴ３が制御手段２０によってトランジスタの制御入力ｃを介してオンにされるため、電流Ｉ２のみが抵抗器Ｒを流れ、これによりトランスＴＲからのエネルギーの残余放電が熱エネルギーに変換される。結果として出力電圧Ｕａが完全にゼロに設定され、この場合、出力トランスＴＲに蓄積された大量のエネルギーが再びコンデンサＣにおいて利用可能になり、後に続く制御パルス（パルスｎ＋１）によるトランジスタＴ２の起動の際に使用される。
【００２８】
電源１０及び出力回路を考慮して、図２による回路は図１による回路と同一のレイアウトを有する。この回路を参照すると、トランスＴＲの第１巻線Ｗ１は、トランジスタＴ２１を介してコンデンサＣの上極に接続され、トランジスタＴ２２を介してコンデンサＣの下極に接続されている。２つのトランジスタＴ２１及びＴ２２のコレクタ／エミッタラインは、制限のないダイオードによってブリッジされている。
【００２９】
下のトランジスタＴ２２のコレクタは、ダイオードＤ３を介してコンデンサＣの上極に接続されている。トランジスタＴ２１のエミッタはダイオードＤ２を介してコンデンサＣの下極に接続されており、ダイオードＤ２は抵抗器Ｒ及びトランジスタＴ３を含む直列の回路を介してブリッジされている。
【００３０】
図２によるこの回路の機能を説明するために電流路が示されている。
【００３１】
トランジスタＴ２１及びトランジスタＴ２２がオンにされると電流路４が生じ、この経路は（パルス状の）出力電圧Ｕａを生じる。（トランスＴ２１、Ｔ２２を閉じた後で）この出力パルスを迅速に終わらせるために、トランスＴＲ内に電流Ｉ１として含まれるエネルギーがダイオードＤ２及びＤ３を介してコンデンサＣに戻される。残留エネルギーを減少させるために、制御手段２０はトランジスタＴ３を起動させ、これによりトランスＴＲ内に電流Ｉ２として含まれる残留エネルギーが電流路６を介して熱エネルギーに変換される。
【００３２】
振動の発生及びトランスＴＲを考慮して、図３によって示されるレイアウトは図１による回路と同様である。しかし、この構成において、追加の巻線Ｗ２は、ダイオードＤ１、コンデンサＣＨ、インダクタＬＨ及びもう一つのダイオードＤＨを含む昇圧チョッパを介してコンデンサＣに接続されている。より具体的に言うと、ダイオードＤ１及びコンデンサＣＨからなる直列の回路が、追加の巻線Ｗ２と並列に設けられている。コイルＬＨの一方の端部はダイオードとコンデンサの結合点に接続されており、もう一方の端部はダイオードＤＨを介してコンデンサＣに接続されている。ダイオードＤＨとインダクタＬＨの結合点は、トランジスタＴ１を介してコンデンサＣのもう一方の極に接続されている。
【００３３】
また、オーム抵抗器Ｒ及びトランジスタＴ３を含む直列の回路が追加の巻線Ｗ２と並列に接続されている。
【００３４】
図５の線図に従って通電が生じる。しかし、図５の例示とは異なる再生トランジスタＴ１を下記のようにオンにすることもできる。
【００３５】
ここに示される、ＬＨ、Ｔ１及びＤＨを含む回路は昇圧チョッパを表している。この昇圧チョッパは、蓄積コンデンサＣＨから入力コンデンサＣにエネルギーを再び補充することができる。トランジスタＴ１を、パルス幅変調（ＰＷＭ）モード、電流調節モード又は同様の準連続動作モードでオンにすることができる。昇圧チョッパの調節の目的は、蓄積コンデンサＣＨの電圧を一定に保ち、従ってＬＨによってチョーク電流を変化させることにある。
【００３６】
図４に示す回路は、実際のジェネレータ回路に設けられたコンデンサＣが使用されているのではなく、トランスＴＲに蓄積されたエネルギーを電流Ｉ１を介して再生する中間回路に設けられたコンデンサＣｚが使用されている、という点で図３に示すものと異なっている。また、本発明では、出力トランスＴＲに蓄積されたエネルギーを吸収してこのエネルギーを度重なる励磁及び出力電圧ＵＡの発生に利用できる素子が重要でないことも、この回路は示している。
【００３７】
図６に示す回路を考慮して、ここでもトランジスタＴ２が励磁及び出力電圧Ｕａの発生のために設けられており、このトランジスタＴ２は、制御手段２０からの信号ｂによってオンにされると、電源１０の出力コンデンサＣとトランスＴＲの第１巻線Ｗ１との間の電気回路を閉じる。
【００３８】
トランスＴＲに含まれるエネルギーをコンデンサＣにおいて再生するために、この構成はコンデンサＣに接続された直列の回路を含み、この回路は第１のダイオードＤ１１、第２のダイオードＤ１２、トランジスタＴ１及びコイルＬＴを含む。トランジスタＴ１とコイルＬＴの接続点は、ダイオードＤＴを介してコンデンサＣの下極に接続されている。ダイオードＤ１２とトランジスタＴ１の結合点は、コンデンサＣＴを介してコンデンサＣの下極に接続されている。ダイオードＤ１２とダイオードＤ１１の接続点は、抵抗器Ｒ及びトランジスタＴ３を含む直列の回路を介してコンデンサＣの上極に接続されている。
【００３９】
この回路を考慮して、再生に関与するトランジスタＴ１は、制御手段２０によってその制御入力ａを介してＰＷＭモード（又は他の制御モード、例えば電流モード又は２点調節）で、即ち、ここに配置された降圧チョッパの入力電圧がコンデンサＣの荷電のために定電圧に調節されるように、駆動される。それ以外では、回路は前述のように駆動される回路と同様に駆動され、この場合、この回路においても（図２にみられるように）、ジェネレータは正弦波発生器ではなく単一パルスを励磁するように設計されている。従って、この場合においても、第１巻線Ｗ１と並列のコンデンサは不要である。ここで、再生エネルギーはトランスに蓄積されたエネルギーの励磁に限られる。
【図１】
0006050412.tif 000002
【図２】
0006050412.tif 000003
【図３】
0006050412.tif 000004
【図４】
0006050412.tif 000005
【図５】
0006050412.tif 000006
【図６】
0006050412.tif 000007